(57)【要約】【課題】  製造が容易で、光走査精度が劣化しにくく、放熱効果にすぐれた光学箱を備える光走査装置の提供を目的とする。【解決手段】    光源から出射された光ビームを偏向する偏向器を駆動するモータと、光ビームを照射対象物に導く光学部材とが、配設された筐体を有する光走査装置であって、筐体には、筐体内部から外部まで貫通する穴が形成されており、モータは、筐体内部から貫通穴を覆うように、筐体に配設され、筐体で構成された光学箱内部で発生した熱を筐体外部に放熱する放熱部材が、筐体外部から貫通穴を覆うように、筐体に配設され、前記モータと前記放熱部材が接していることを特徴とする光走査装置を提供する。【選択図】      図２
2007219508.tif 000002
【特許請求の範囲】
【請求項１】
光源から出射された光ビームを偏向する偏向器を駆動するモータと、前記光ビームを照射対象物に導く光学部材とが、配設された筐体を有する光走査装置であって、
前記筐体には、前記筐体内部から外部まで貫通する穴が形成されており、
前記モータは、前記筐体内部から前記貫通穴を覆うように、前記筐体に配設され、
前記筐体で構成された光学箱内部で発生した熱を前記筐体外部に放熱する放熱部材が、前記筐体外部から前記貫通穴を覆うように、前記筐体に配設され、
前記モータと前記放熱部材が接していること、
を特徴とする光走査装置。
【請求項２】
前記モータの一部が前記貫通穴に挿入されていることを特徴とする請求項１に記載の光学走査装置。
【請求項３】
前記放熱部材の一部が前記貫通穴に挿入されていることを特徴とする請求項１または２に記載の光学走査装置。
【請求項４】
光源から出射された光ビームを偏向する偏向器を駆動するモータと、前記光ビームを照射対象物に導く光学部材とが、配設された筐体を有する光走査装置であって、
前記モータが配設された部分の前記筐体の肉厚は、前記モータが配設された部分以外の前記筐体の肉厚よりも薄く形成されており、
前記筐体で構成された光学箱内部で発生した熱を前記筐体外部に放熱する放熱部材は、前記筐体外部から前記筐体の薄く形成された部分を覆うように、前記筐体に配設されること、
を特徴とする光走査装置。
【請求項５】
光源から出射された光ビームを偏向する偏向器を駆動するモータと、前記光ビームを照射対象物に導く光学部材とが、配設された筐体を有する光走査装置であって、
前記筐体には、前記筐体内部から外部まで貫通する穴が形成されており、
前記モータは、前記筐体内部から前記貫通穴を覆うように、前記筐体に配設され、
前記貫通穴部分には、前記筐体の一部として、先端まで徐々に前記筐体の肉厚方向の厚さが薄くなるように形成された複数の突起部が形成されること、
を特徴とする光走査装置。
【請求項６】
光源から出射された光ビームを偏向する偏向器を駆動するモータと、前記光ビームを照射対象物に導く光学部材とが、配設された筐体を有する光走査装置であって、
前記筐体には、前記筐体内部から外部まで貫通する穴が形成されており、
前記モータは、前記筐体外部から前記貫通穴を貫通するように固定され、
前記筐体で構成された光学箱内部で発生した熱を前記筐体外部に放熱する放熱部材は、前記筐体外部から、前記モータに接触せずに前記モータを覆って前記筐体に配設されること、
を特徴とする光走査装置。
【請求項７】
光源から出射された光ビームを偏向する偏向器を駆動するモータと、前記光ビームを照射対象物に導く光学部材とが、配設された筐体を有する光走査装置であって、
前記筐体には、前記筐体内部から外部まで貫通する穴が形成されており、
前記筐体は、前記貫通穴を取り囲むようにして前記筐体の内側に突出した、前記モータを支持するモータ支持部を有し、
前記筐体で構成された光学箱内部で発生した熱を前記筐体外部に放熱する放熱部材は、前記モータを支持するモータ支持部の内部に配設され、
前記モータは、前記放熱部材に接触せずに前記モータ支持部に固定されること、
を特徴とする光走査装置。
【請求項８】
前記放熱部材は、放熱フィンを有し、
前記放熱フィンの先端部は、前記筐体の外面よりも前記光学箱の内部側にあることを特徴とする請求項７に記載の光走査装置。
【請求項９】
前記モータと前記放熱部材と間に、熱伝導部材が配置されること、
を特徴とする請求項６から８のいずれかに記載の光走査装置。
【発明の詳細な説明】
【技術分野】
【０００１】
本発明は、電子写真方式の画像形成装置などに用いられる光走査装置に関する。
【背景技術】
【０００２】
レーザプリンタ、複写機、ファクシミリなどの電子写真方式の画像形成装置に用いられる光走査装置として、ポリゴンミラーを回転させて光源からのレーザ光を偏向させる光走査方式が広く知られている。画像形成装置の高速化の要求に伴い、光走査装置のポリゴンミラーを駆動する駆動モータの回転の高速化が求められている。また光走査装置を構成する光学箱は、駆動モータの高速化に伴う振動、騒音が光学箱外部に漏れることの防止、及び光学箱への塵の侵入防止等のため、密閉された構造となっている。そのため駆動モータの回転の高速化に伴う駆動モータによる発熱が光学箱内部に蓄積され、光学箱内部にある光学部品等が熱の影響を受けることが問題となっていた。従来の典型的な光走査装置は、例えば以下の特許文献１に開示される。
【０００３】
【特許文献１】特許３０７５４９７号公報
【０００４】
上記特許文献１に記載された光走査装置の構成例を図９から図１１に示す。図９は、光走査装置の概略構成を示す。図１０は、図９に示す光走査装置をＡ−Ａ断面で観察した図を示す。光走査装置は、光源４、モータ７、レンズ系１３、回路基板６、ポリゴンミラー１９を備える光学箱３を有する。光学箱３は、カバー部材５、熱伝導率の高い金属部９、熱伝導率の低い樹脂部１１（図の斜線部）、モータ７、カバーガラス３ａによって内部がほぼ密閉されるよう構成されている。モータ７は、モータ取り付部材１７、モータ本体１５、モータ本体を貫く回転軸１８、モータ軸受部１６を有する。モータ取り付部材１７は回路基板６とともに金属部９に固定されている。ポリゴンミラー１９は、回転軸１８に固定されている。
【０００５】
光源４から出射された光ビームは、回転するポリゴンミラー１９により偏向され、レンズ系１３およびカバーガラス３ａを介して、光学箱３外部の感光体１４に照射される。モータ７等により発生した熱は、金属部９に伝わり、金属部９及びモータ軸受部１６から光学箱３の外部に放熱される。
【０００６】
また、図１１は、特許文献１に記載された光走査装置の他の実施形態を示す。図１０と同一の部分は図１０と同一の符号を付している。図１１に示す光学箱３０では、金属部９０がカバー部材５０と一体成型されている。モータ７は熱伝導率の低い樹脂部１１０（斜線部）と接するように構成されている（カバーガラス３０ａも同様に熱伝導率は低い）。したがって、モータ７等により発生し、光学箱３０内部で発生する熱は、熱伝導率の高い金属部９０により外部に放熱される。
【発明の開示】
【発明が解決しようとする課題】
【０００７】
しかしながら、特許文献１に記載された光走査装置では、モータ７により発生した熱を外部に放熱するために、金属部９を樹脂部１１と一体成型して光学箱３を製造しなければならない。金属部９と樹脂部１１とを一体成型する製造工程はコストがかかる。さらにモータ軸受部１６が粉塵により汚染されてしまう可能性がある。また、光学箱３では、モータ７とレンズ系１３が異なる基盤上に設けられているため（すなわち、モータ７が金属部９上、レンズ系１３が樹脂部１１上）、金属部９及び樹脂部１１が振動等により、その相対位置がわずかでも変位すると、レンズへの光軸がずれる可能性があるという問題点があった。なお、光学箱３０では、樹脂部１１０にモータ７とレンズ系１３が設けられているが、放熱機能を有する金属板９０がモータ７と空間を隔てて配置されているので、光学箱３と比して放熱効率は劣る。
【０００８】
本発明は、以上の事情に鑑み、光学走査装置において、製造が容易で、光走査精度が劣化しにくく、放熱効果にすぐれた光学箱を備える光走査装置の提供を目的とする。
【課題を解決するための手段】
【０００９】
上記課題を解決するための、本発明の光走査装置は、光源から出射された光ビームを偏向する偏向器を駆動するモータと、前記光ビームを照射対象物に導く光学部材とが、配設された筐体を有する光走査装置であって、前記筐体には、前記筐体内部から外部まで貫通する穴が形成されており、前記モータは、前記筐体内部から前記貫通穴を覆うように、前記筐体に配設され、前記筐体で構成された光学箱内部で発生した熱を前記筐体外部に放熱する放熱部材が、前記筐体外部から前記貫通穴を覆うように、前記筐体に配設され、前記モータと前記放熱部材が接していることを特徴とする。
【００１０】
また、上記光走査装置は、前記モータの一部が前記貫通穴に挿入されるよう構成されても良い。或いは、上記光走査装置は、前記放熱部材の一部が前記貫通穴に挿入されるように構成されていても良い。
【００１１】
また、本発明の光走査装置は、光源から出射された光ビームを偏向する偏向器を駆動するモータと、前記光ビームを照射対象物に導く光学部材とが、配設された筐体を有する光走査装置であって、前記モータが配設された部分の前記筐体の肉厚は、前記モータが配設された部分以外の前記筐体の肉厚よりも薄く形成されており、前記筐体で構成された光学箱内部で発生した熱を前記筐体外部に放熱する放熱部材は、前記筐体外部から前記筐体の薄く形成された部分を覆うように、前記筐体に配設されること、を特徴とする。
【００１２】
また、本発明の光走査装置は、光源から出射された光ビームを偏向する偏向器を駆動するモータと、前記光ビームを照射対象物に導く光学部材とが、配設された筐体を有する光走査装置であって、前記筐体には、前記筐体内部から外部まで貫通する穴が形成されており、前記モータは、前記筐体内部から前記貫通穴を覆うように、前記筐体に配設され、前記貫通穴部分には、前記筐体の一部として、先端まで徐々に前記筐体の肉厚方向の厚さが薄くなるように形成された複数の突起部が形成されること、を特徴とする。
【００１３】
また、本発明の光走査装置は、光源から出射された光ビームを偏向する偏向器を駆動するモータと、前記光ビームを照射対象物に導く光学部材とが、配設された筐体を有する光走査装置であって、前記筐体には、前記筐体内部から外部まで貫通する穴が形成されており、前記モータは、前記筐体外部から前記貫通穴を貫通するように固定され、前記筐体で構成された光学箱内部で発生した熱を前記筐体外部に放熱する放熱部材は、前記筐体外部から、前記モータに接触せずに前記モータを覆って前記筐体に配設されること、を特徴とする。
【００１４】
また、本発明の光走査装置は、光源から出射された光ビームを偏向する偏向器を駆動するモータと、前記光ビームを照射対象物に導く光学部材とが、配設された筐体を有する光走査装置であって、前記筐体には、前記筐体内部から外部まで貫通する穴が形成されており、前記筐体は、前記貫通穴を取り囲むようにして前記筐体の内側に突出した、前記モータを支持するモータ支持部を有し、前記筐体で構成された光学箱内部で発生した熱を前記筐体外部に放熱する放熱部材は、前記モータを支持するモータ支持部の内部に配設され、前記モータは、前記放熱部材に接触せずに前記モータ支持部に固定されること、を特徴とする。
【００１５】
また、前記放熱部材は、放熱フィンを有し、前記放熱フィンの先端部は、前記筐体の外面よりも前記光学箱の内部側にあることを特徴とする。
【００１６】
また、前記モータと前記放熱部材と間に、熱伝導部材が配置されること、を特徴とする。
【発明の効果】
【００１７】
本発明によれば、製造が容易で、光走査精度が劣化しにくく、放熱効果にすぐれた光学箱を備える光走査装置を提供することができる。
【発明を実施するための最良の形態】
【００１８】
図面を参照して本発明の実施形態を説明する。図１は、本発明の光走査装置を示す概略構成図である。図２は、本発明の第一の実施形態であり、図１に示す光走査装置の光学箱２３をＡ−Ａ断面で観察した図を示す。光走査装置は、光源２４、モータ２７、放熱部材２９、「光学部材」としてのレンズ系３３、「偏向器」としてのポリゴンミラー３９を備える光学箱２３を有する。また偏向器として、ミラーの反射面を傾斜させるガルバノミラー等が使用されても良い。
【００１９】
光学箱２３は、光走査装置を構成する部品の一部が配設された箱状の部材であり、樹脂等で形成された筐体３１及びカバー部材２５を有する。筐体３１は、光学箱２３の外部に対して開放された開放部を有し、カバー部材２５により開放部が覆われることにより内部がほぼ密閉状態となる。また、筐体３１の一部にはカバーガラス２３ａが形成されている。
【００２０】
モータ２７は、モータ取り付部材２６、モータ本体３５、モータ軸受部３６、回転軸３８を有する。モータ取り付部材２６は、モータ軸受部３６と一体となるように形成されており、ネジ２２等により筐体３１に筐体３１の内側から固定される。また、モータ取り付部材２６の上部には、モータの駆動を制御するために必要な回路基板２４が配置され、モータ取り付部材２６とともに筐体３１に固定されている。また回転軸３８には、ポリゴンミラー３９が取り付けられており、モータ２７の回転に伴いポリゴンミラー３９の反射面も回転する。光源２４から出射された光ビームは、回転するポリゴンミラー３９の反射面により偏向され、レンズ系３３およびカバーガラス２３ａを介して、光学箱２３外部の感光体３４に照射される。
【００２１】
筐体３１の底面（モータ７が備え付けられる面）には、光学箱２３の内部から外部まで貫通する穴が形成されている。筐体３１よりも熱伝導率の高い材質（例えば金属）で形成された放熱部材２９は、筐体３１の外部から貫通穴を覆うように、ネジ２８等により筐体３１に配設される。放熱部材２９は、光学箱２３の外部の空気と伝熱する伝熱面積を大きくするための放熱フィン２９aを有する。モータ軸受部３６は、貫通穴に挿入されて、放熱部材２９と接触している。
【００２２】
モータ軸受部３６と放熱部材２９とが接触しているので、モータ２７により発生した熱は、該接触面（点）を経由して放熱部材２９に伝導する。そして発生した熱は、放熱部材２９から光学箱２３の外部へ放熱される。また、放熱部材２９により筐体３１の貫通穴が完全に覆われるため、モータ２７からの騒音が漏れることがなく、モータ軸受部３６が粉塵等で汚染されることもない。
【００２３】
また、筐体３１の貫通穴は放熱部材２９で覆われるために比較的大きく形成されても良い。したがって、光学箱２３の製造工程時に、筐体３１の外部から作業者が手によってモータ２７を支持することが可能になるため、モータ２７を配置する作業効率が向上する。また筐体３１の下部からモータ２７のロット番号（識別番号）を簡単に確認できるようになる。また、光学箱２３は、金属と樹脂を用いて一体成型する工程は不要であるので従来と比してコストダウンが可能となる。
【００２４】
図３は、本発明の光走査装置の第二の実施形態を示す図である。図３に示す光学箱４３は、図１における光学箱２３と置き換えることができる。図３における図１及び図２と同一の符号の部材は、図１及び図２に示された部材と同一の部材を示す（以後同一の符号は、同一の部材を示すものとする）。
【００２５】
筐体３１よりも熱伝導率の高い部材で形成された放熱部材４９は、筐体３１の外部から貫通穴を覆うように、ネジ２８等により筐体３１に配設される。放熱部材４９は、突起部４９bと、放熱フィン４９aとを有する。突起部４９bは、貫通穴に挿入され、貫通穴の内部または光学箱２３の内部において、モータ２７と接触（密着）している。また突起部４９bは、貫通穴の周囲の面と密着することができる形状に形成されている。モータ取り付部材４６は、モータ軸受部３６が筐体３１の内面から光学箱４３の内部側に向けて突出した高さ分を調整できるよう構成されている。具体的には、モータ取り付部材４６は、モータ軸受部３６の周面全面に対向するように形成された側壁部を備えており、当該側壁部の高さにより、モータ軸受部３６の突出高さ分が調整される。本発明の第二の実施形態における光学箱４３は、放熱部材４９の突起部４９bが貫通穴に密着して挿入されているため、光学箱４３の密閉性を向上させつつ放熱が可能な構成となっている。突起部４９bとモータ軸受部３６との接触により、モータ２７（及び回路基板２４）で発生する熱は放熱部材４９を介して外部に放熱される。
【００２６】
図４は、本発明の光走査装置の第三の実施形態を示す図である。図４に示す光学箱６３は、図１における光学箱２３と置き換えることができる。筐体５１の一部にはカバーガラス６３ａが形成されている。筐体５１は、モータ２７の下部に位置する筐体５１の肉厚が、他の部位の筐体５１の肉厚よりも薄く形成された薄肉部５１ａを有する。モータ２７の下部は、筐体５１の薄肉部５１ａに、光学箱６３の内部から接触（密着）している。放熱部材４９はネジ２８等により筐体５１に筐体５１の外部から固定され、突起部４９bは筐体５１の薄肉部５１ａに光学箱６３の外部から接触（密着）している。
【００２７】
薄肉部５１ａは、モータ２７により発生した熱を容易に放熱部材４９に伝導することができる程度に薄く形成されている。そして薄肉部５１ａを介して放熱部材４９に伝導された熱は、放熱部材４９から光学箱６３の外部へ放熱される。上記の例では、筐体５１に貫通穴が形成されていなため、光学箱６３の密閉性が高く、塵の侵入防止、及び振動、騒音の外部への漏れの防止をより確実にできる。
【００２８】
図５は、本発明の光走査装置の第四の実施形態を示す図である。図５に示す光学箱８３は、図１における光学箱２３と置き換えることができる。図６は、図５に示す光学箱８３の一部をその下部から観察した図である。筐体７１の一部にはカバーガラス８３ａが形成されている。筐体７１の底面（モータ７が備え付けられる面）には、光学箱８３の内部から外部まで貫通する穴が形成されている。筐体７１の貫通穴部分には、筐体７１の一部として、複数の突起部７１aが形成されている。図６に示されるように、貫通穴は略四角形状であり、複数の突出部７１aが、略四角形の貫通穴の所定の辺とその対向する辺とから、互いの対向する辺へ向って所定量突出している。なお貫通穴の形状は、円形、多角形でもよい。また突出部７１aは、モータ２７の下部に接触（密着）しており、筐体７１の底面の肉厚方向の突出部７１aの厚さは先端にいくほど徐々に薄くなり、図５に示されるような略三角形の断面形状を有する。
【００２９】
突出部７１aは、筐体７１の外部からモータ２７の底面の中心付近まで徐々に薄くなるので、筐体７１の外部付近の空気は、モータ２７底部の中心付近に流れ込みやすくなり、モータ２７を効率よく冷却すること可能となる。また、モータ取り付部材４６には、前述のようにモータ軸受部３６の周面全面に対向するように側壁が形成されているので、このモータ取り付部材４６により、筐体７１の内部と外部が仕切られ、筐体７１の内部は外部に対して密閉された状態となる。なお、モータ軸受部３６の周囲であってモータ取り付部材４６との間の空間は、外部に開放された状態となっている。このような構造により、モータ２７の冷却効率はさらに高まる。
【００３０】
図７は、本発明の光走査装置の第五の実施形態を示す図である。図７に示す光学箱１０３は、図１における光学箱２３と置き換えることができる。筐体３１には、筐体３１の内部から外部まで貫通する穴が形成されている。モータ２７のモータ本体３５は、貫通穴に挿入されて配置されている。回路基板２４を上面に備えるモータ取り付部材２６は、ネジ２２等により筐体３１の底面に筐体３１の外部から固定される。筐体３１よりも熱伝導率の高い部材で形成された放熱部材６９は、筐体３１の外部に突出した回路基板２４、モータ取り付部２６、モータ軸受部３６（以下、モータ等突出部という）を覆うことができる器状の形状を有し、筐体３１の外部から、ネジ２８等によりモータ等突出部に接触せずに筐体３１に配設される。
【００３１】
放熱部材６９とモータ軸受部３６との隙間には、熱伝導性が高く、弾性があり、半固形の物質である熱伝導部材（グリース等）が塗布され、両部材は間接的に接触している。またモータ等突出部と、放熱部材６９と、筐体３１とによって囲まれた空間に、熱伝導部材が充填されても良い。なお、熱伝導部材が充填される場合、回路基板２４は、熱伝導部材が配線等に接触しないように、所定の保護部材で覆われる。
【００３２】
本発明の第五の実施形態によれば、モータ２７は筐体３１の外部から固定されるので、モータ２７を光学箱２３外部から容易に取りつけることができる。また筐体３１の内部におけるモータ２７が占める容積が減るので、モータ２７により光学箱２３内部で発生する熱が減少する。
【００３３】
また、熱伝導部材を充填することは、モータ２７のうち、より広い表面積を放熱効果のある熱伝導部材に接触させることが可能となる。このように熱伝導部材を配置することにより、モータ２７により発生した熱は、熱伝導部材に効率よく伝導された後、熱伝導部材から放熱部材６９に効率よく伝導され、放熱部材６９から光学箱２３の外部へ放熱される。また弾性がある熱伝導部材が配置されるため、密閉性の増強、振動及び騒音の防止効果もある。
【００３４】
図８は、本発明の光走査装置の第六の実施形態を示す図である。図８に示す光学箱１２３は、図１における光学箱２３と置き換えることができる。筐体９１の一部にはカバーガラス１２３ａが形成されている。筐体９１には、筐体９１の内部から外部まで貫通する穴が形成されている。筐体９１は、筐体９１の内部方向に突出したモータ支持部９１aが形成されている。モータ支持部９１aは、回転軸３８と垂直方向の所定の肉厚を有し且つ筐体９１の底部から所定の高さを有し、貫通穴を取り囲むように筐体９１の内面から突出して形成されている。放熱部材８９は、モータ支持部９１aの内周側に配置可能な外形を有し、モータ支持部９１aの内周側内に嵌め込まれ、筐体９１の貫通穴周囲の底部内面と密着するように配設される。また放熱部材８９は、ネジ等により筐体９１に固定されて配設されもよい。
【００３５】
また放熱部材８９は放熱フィン８９aを有する。放熱部材８９が筐体９１に配設されたときには、放熱フィン８９aは貫通穴の内部に配置される。放熱フィン８９aの突出方向の高さは、放熱部材８９が筐体９１に配設されたときに、筐体９１の外部まで突出しない長さとする。
【００３６】
モータ２７は、ネジ２２等によりモータ支持部９１aに筐体９１の内部から固定される。このとき、モータ支持部９１aの高さは放熱部材８９の肉厚にモータ軸受部３６の高さを加えた長さよりも長く設定されているため、モータ軸受部３６の底面と放熱部材８９との間には隙間が形成される。その隙間には、第五の実施形態の光学箱１０３（図７参照）で使用したものと同じ熱伝導部材が塗布される。またモータ取り付部材２６と、モータ軸受部３６と、放熱部材８９と、モータ支持部９１aとによって囲まれた空間に、熱伝導部材が充填されても良い。
【００３７】
モータ取り付部材２６と、モータ軸受部３６と、放熱部材８９と、モータ支持部９１aとによって囲まれた空間に、熱伝導部材が充填されることにより、前述した例と同様、モータ２７から放熱部材８９まで効率の良い熱伝導が可能となる。また放熱フィン８９aは、筐体９１の外部に突出しないので、簡素で小型化された光学箱９１を形成することが可能となる。
【図面の簡単な説明】
【００３８】
【図１】本発明の光走査装置を示す図である。
【図２】図１に示す光走査装置の光学箱をＡ−Ａ断面で観察した本発明の第一の実施形態を示す。
【図３】本発明の第二の実施形態を示す図である。
【図４】本発明の第三の実施形態を示す図である。
【図５】本発明の第四の実施形態を示す図である。
【図６】図５に示す光走査装置の光学箱をその下部から観察した図を示す。
【図７】本発明の第五の実施形態を示す図である。
【図８】本発明の第六の実施形態を示す図である。
【図９】従来の光走査装置を示す。
【図１０】図９に示す光走査装置をＡ−Ａ断面で観察した図を示す。
【図１１】図１０とは異なる実施形態を示す従来の走査装置を示す。
【符号の説明】
【００３９】
２３，４３，６３，８３，１０３，１２３  光学箱
２４  光源
２５  カバー部材
２６  モータ取り付部材
２７  モータ
２９，４９，６９，８９  放熱部材
３１，５１，７１，９１  筐体
３３  レンズ系
３５  モータ本体
３８  回転軸
３９  ポリゴンミラー
【図１】
2007219508.tif 000003
【図２】
2007219508.tif 000004
【図３】
2007219508.tif 000005
【図４】
2007219508.tif 000006
【図５】
2007219508.tif 000007
【図６】
2007219508.tif 000008
【図７】
2007219508.tif 000009
【図８】
2007219508.tif 000010
【図９】
2007219508.tif 000011
【図１０】
2007219508.tif 000012
【図１１】
2007219508.tif 000013